(57)【要約】【課題】電子回路で発生する振動が板金部材に波及しない携帯電子機器を提供すること【解決手段】携帯電話機１は、フロントケース２とリアケース１１を有する筐体と、筐体内部に配設された板金部材２１と、板金部材の一方の面側に配設された回路基板６と、板金部材２１の他方の面側に配設された液晶ディスプレイ９１と、板金部材２１の一方の面側から他方の面側に跨って配設され、回路基板６及び液晶ディスプレイ９１に接続されたフレキシブルプリント基板７と、フレキシブルプリント基板７に実装され、電子回路７１を有し、振動を生じ得る実装部品と、液晶ディスプレイ９１を板金部材２１に対して支持する弾性シート４とを有する。【選択図】図４
2010109680.tif 000002
【特許請求の範囲】
【請求項１】
筐体と、
前記筐体内部に配設された板金部材と、
前記板金部材の一方の面側に配設された回路基板と、
前記板金部材の他方の面側に配設された電子部品と、
前記板金部材の前記一方の面側から前記他方の面側に跨って配設され、前記回路基板及び前記電子部品に接続されたフレキシブルプリント基板と、
前記フレキシブルプリント基板に実装され、電子回路を有し、振動を生じ得る実装部品と、
前記電子部品を前記板金部材に対して支持する弾性部材と、
を有する携帯電子機器。
【請求項２】
前記フレキシブルプリント基板の前記板金部材の前記一方の面側に位置する部分と、前記板金部材の前記一方側の面との間には間隙が形成される、
請求項１記載の携帯電子機器。
【請求項３】
前記電子部品は光を生成する発光部を有し、
前記板金部材は、前記筐体に一部が埋設され、前記筐体からの露出部分には孔部が形成され、
前記弾性部材は前記孔部を覆っている、
請求項１又は２に記載の携帯電子機器。
【請求項４】
前記板金部材は、外周部が前記筐体に埋設され、
前記筐体には、前記板金部材の前記一方の面側に、前記回路基板及び前記実装部品を収容する収容空間が形成され、前記板金部材の前記他方の面側に、前記電子部品が収容される、前記板金部材の前記筐体からの露出部分を底部とする収容凹部が形成され、
前記電子部品は前記板金部材とは反対側に画像を表示する表示装置であり、
前記板金部材の前記筐体からの露出部分には孔部が形成されており、
前記弾性部材は前記孔部を覆っている、
請求項１又は２に記載の携帯電子機器。
【請求項５】
前記実装部品は前記電子部品を駆動するための駆動回路を構成する、
請求項１から４いずれか１項に記載の携帯電子機器。
【請求項６】
前記弾性部材は導電性を有している、
請求項１から５いずれか１項に記載の携帯電子機器。
【発明の詳細な説明】
【技術分野】
【０００１】
本発明は携帯電話、ＰＤＡ、携帯型ゲーム、携帯用テレビ、携帯用ラジオ等の携帯電子機器に関する。
【背景技術】
【０００２】
携帯電話機において、液晶ディスプレイと回路基板をフレキシブルな配線基板によって接合する技術が知られている（例えば特許文献１）。そして、この技術においては、板金部材に回路基板が配設されており、回路基板上にはすべての電子回路が実装されている。
【特許文献１】特開２００４−１１７６５９号公報
【発明の開示】
【発明が解決しようとする課題】
【０００３】
しかし、回路基板やフレキシブルプリント基板にはコンデンサーなどのように振動している実装部品が存在する。この振動している実装部品の振動はフレキシブルプリント基板を介して液晶ディスプレイに伝達され、さらには、液晶ディスプレイに当接している板金部材にまで波及してしまう。板金部材は振動伝達性が樹脂の場合よりも高い上に、この板金部材は他の携帯電話機を構成する部品とも接続されているため、この振動は携帯電話機の他の部品にも波及する。かかる事態は、異音の発生を誘発する。特に、通話を目的とする携帯電話では好ましくない。
【０００４】
本発明の目的は電子回路で発生する振動が板金部材に波及するのを抑制する携帯電子機器を提供することである。
【課題を解決するための手段】
【０００５】
本発明の携帯電子機器は、前記筐体内部に配設された板金部材と、前記板金部材の一方の面側に配設された回路基板と、前記板金部材の他方の面側に配設された電子部品と、前記板金部材の前記一方の面側から前記他方の面側に跨って配設され、前記回路基板及び前記電子部品に接続されたフレキシブルプリント基板と、前記フレキシブルプリント基板に実装され、電子回路を有し、振動を生じ得る実装部品と、前記電子部品を前記板金部材に対して支持する弾性部材と、を有する。
【０００６】
好適には、前記フレキシブルプリント基板の前記板金部材の前記一方の面側に位置する部分と、前記板金部材の前記一方側の面との間には間隙が形成される。
【０００７】
好適には、前記電子部品は光を生成する発光部を有し、前記板金部材は、前記筐体に一部が埋設され、前記筐体からの露出部分には孔部が形成され、前記弾性部材は前記孔部を覆っている。
【０００８】
好適には、前記板金部材は、外周部が前記筐体に埋設され、前記筐体には、前記板金部材の前記一方の面側に、前記回路基板及び前記実装部品を収容する収容空間が形成され、前記板金部材の前記他方の面側に、前記電子部品が収容される、前記板金部材の前記筐体から露出部分を底部とする収容凹部が形成され、前記電子部品は前記板金部材とは反対側に画像を表示する表示装置であり、前記板金部材の前記筐体からの露出部分には孔部が形成されており、前記弾性部材は前記孔部を覆っている。
【０００９】
好適には、実装部品は前記電子部品を駆動するための駆動回路を構成する。
【００１０】
好適には、前記弾性部材は導電性を有している。
【発明の効果】
【００１１】
本発明によれば、電子回路で発生する振動が板金部材に波及するのを抑制する携帯電子機器を提供することができる。
【発明を実施するための最良の形態】
【００１２】
図１は、本発明の実施形態に係る携帯電話機１の外観を開状態で示す斜視図である。
【００１３】
携帯電話機１は、いわゆる折り畳み式の携帯電話機１として構成されており、開状態と閉状態との間で互いに回動可能に連結された第１筐体３及び第２筐体５を有している。図１は、第１筐体３及び第２筐体５の開状態を示している。第２筐体５は、第１筐体３と対向する部分を構成するフロントケース２と、第１筐体３とは反対側部分を構成するリアケース１１とを有している。フロントケース２及びリアケース１１はネジ等により互いに固定され、フロントケース２及びリアケース１１の間に形成された空間に種々の電子部材を収容する収容空間を構成する。フロントケース２及びリアケース１１は、例えば、樹脂により形成されている。また、フロントケース２には液晶モジュール９がその外側部分に配設されている。
【００１４】
図２はフロントケース２から装飾用のパネルや液晶モジュール９等を取り除いた後の斜視図である。フロントケース２には、金属製の板金部材２１の一部が埋設されている。なお、板金部材２１もフロントケース２の一部として捉えることができるが、本願では板金部材２１はフロントケース２とは別個の部材であるものとして説明する。フロントケース２は、インサート成型によって板金部材２１と一体的に成型される。具体的には、樹脂成型時固定孔２４によって板金部材２１を金型内の所定位置に位置決め固定し、その後溶融した樹脂を金型内に注入することによってフロントケース２を板金部材２１と一体的に成型する。
【００１５】
もっとも、板金部材２１はその全面をフロントケース２によって覆われるのではなく、その外周部がフロントケース２に覆われる。それによって、フロントケース２によって覆われない露出部が生じ、その露出部は覆われた部分に比べて凹んでいる。
【００１６】
また、フロントケース２及びリアケース１１の間に形成された収容空間内に収容された回路基板６等を支持・固定する固定部２６を形成するために、板金部材２１の露出部に基板支持用孔２５が空けられている。
【００１７】
さらにまた、板金部材２１の露出部には、基板支持用孔２５及び樹脂成型時固定孔２４以外にフレキシブルプリント基板通し孔２３も空けられている。このフレキシブルプリント基板通し孔２３は、後述するフロントケース２の外部側に配設される液晶ディスプレイ９１とフロントケース２内部に配設される回路基板６と、を接続するフレキシブルプリント基板７を通すために空けられている。板金部材２１には、その他にも様々な目的を達成するための孔や製造工程の過程で形成される穴が多く空けられている。
【００１８】
図３（ａ）は液晶モジュール９を表示部側から見た斜視図である。図３（ｂ）は液晶モジュール９をフロントケース２と接合される部分側から見た斜視図である。
【００１９】
液晶モジュール９は、液晶ディスプレイ９１及びフレキシブルプリント基板７を有している。そして、このフレキシブルプリント基板７は電子回路７１を有する。また、このフレキシブルプリント基板７は図３（ｂ）において、点線で示された折り込まれない状態から実線で示された折り込まれた状態までフレキシブルに変形可能である。
【００２０】
電子回路７１は液晶ディスプレイ９１を駆動するためのものである。具体的には、このフレキシブルプリント基板７には後述する回路基板６から液晶ディスプレイ９１に対する制御信号が入力される。電子回路７１及びこの電子回路７１に実装されている実装部品が、この制御信号を処理し、次いで、液晶ディスプレイ９１の表示をこの制御信号に応じて変化させる。
【００２１】
図４は回路基板６、液晶モジュール９をフロントケース２に組み込む様子を示した斜視図である。液晶モジュール９、弾性シート４、フロントケース２、回路基板６の順に積み重ねられる。そして、板金部材２１がフロントケース２に埋設していない露出部分を底部として形成される収容凹部に、液晶ディスプレイ９１と弾性シート４が嵌めこまれる。回路基板６はフロントケース２の内部側からフロントケース２に組み込まれ、固定部２６（図２参照）によって位置決め固定される。
【００２２】
フレキシブルプリント基板７はフレキシブルに変形可能であるので、弾性シート４の切欠部４１を通し、さらに、フロントケース２のフレキシブルプリント基板通し孔２３を通した後に、回路基板６上の図示していないコネクタ部６１に差し込まれる。
【００２３】
この際、液晶モジュール９と弾性シート４との接合、及び、弾性シート４とフロントケース２との接合は、接着材又は両面テープ等の接合部材によってなされる。回路基板６とフロントケース２との接合は、固定部２６のみによる場合もあるが、それに加えて接着剤、両面テープ又はねじ等の結合部材等によってなされる場合もある。
【００２４】
弾性シート４は弾性を有する物質によって構成される。具体的には、発泡性材料、エラストマー（ゴム）及びジェル状の物質などの防振機能を有する材料によって構成される。この弾性シート４の主な機能は防振であるが、それに加えて他の機能も有させることができる。
【００２５】
例えば、導電性を有する物質を発泡させて作成することによって、又は、導電性を有しない物質に鉄粉を混ぜ込んで導電性を付与するようにした材料により作成することによって、防振機能に加えて電磁シールド機能をも持たせることができる。さらに、少しでも熱伝達性の高い物質によって弾性シート４を構成することによって、防振機能を有しつつ熱伝達機能をも有するようにすることができる。他にも、弾性シート４を乾燥材料又は水分吸収材料によって構成して第２筐体５内に入り込んだ水分を吸収させる機能をも有するようにすることができる。あるいは、弾性シート４を化学物質吸着材料によって構成して、第２筐体５内に入り込んだ又は第２筐体５内で発生した化学物質を吸着させる機能をも有するようにすることができる。加えて、弾性シート４を熱容量の大きい物質によって構成して外部環境の温度変化に対して内部の温度変化の急変が起きないような機能を、あるいはそれとは逆に、熱容量の小さい物質によって構成して外部の温度変化に迅速に対応させ携帯電話機１の外部に結露を生じさせないような機能をも有するようにすることができる。
【００２６】
また、この弾性シート４はその一部に切欠部４１を有し、この切欠部４１はフレキシブルプリント基板７を通すために切欠かれている。なお、必ずしも切欠き形状ではなく孔形状であってもよい。
【００２７】
さらにまた、この弾性シート４は光を透過させない材料によって構成され、板金部材２１に空けられているフレキシブルプリント基板通し孔２３以外の孔を覆う。これによって、液晶ディスプレイ９１の発光された光がフロントケース２及びリアケース１１の間に形成された収容空間に入り込むこと抑制する。これにより、フロントケース２及びリアケース１１の間に形成された収容空間に光が入り込むとリアケース１１側は光らせたくないにもかかわらず、リアケース１１の一部が光って見えてしまうことを抑制するという効果を得ることができる。
【００２８】
図５は、図４のようにして組み立てられたフロントケース２を外部側からみた斜視図である。
【００２９】
図６は図４のようにして組み立てられたフロントケース２を内部側からみた拡大斜視図である。回路基板６上に配設されたコネクタ部６１に、フレキシブルプリント基板７の一端が挿入されている。フレキシブルプリント基板７の他端は液晶ディスプレイ９１と結合されている。
【００３０】
図７は図６のＶＩＩ−ＶＩＩにおける斜視断面図である。
【００３１】
図８は図６のＶＩＩＩ−ＶＩＩＩ線における断面を簡略化した断面図である。電子回路７１は、回路に実装される様々な実装部品を有する。その実装部品の中には振動を生じるものが含まれる。特に、コンデンサーはその放電と蓄電を定期的に繰り返すので振動の原因となりやすい。電子回路７１はフレキシブルプリント基板７の一部であるから、電子回路７１に生じた振動はフレキシブルプリント基板７全体を振動させる。この振動はフレキシブルプリント基板７が接合されている液晶ディスプレイ９１に伝わり、液晶ディスプレイ９１も振動する。しかし、液晶ディスプレイ９１は弾性シート４を介して板金部材２１に固定されているので、この振動が板金部材２１に伝わることは弾性シート４によって遮断される。その結果、板金部材２１及びフロントケース２の振動は抑制される。
【００３２】
また、図８からも分かるように、内部側の板金部材２１はフレキシブルプリント基板７とは直接接触していない。つまり、板金部材２１の内部側とフレキシブルプリント基板７の一方の面側に位置する部分との間には間隙１０が形成されている。その結果、フレキシブルプリント基板７からの振動は直接には板金部材２１（フロントケース２）には伝わらない構成となっている。なお、間隙１０が作れない場合には、フレキシブルプリント基板７から板金部材２１への振動の伝達は無視できないので、この場合にはフレキシブルプリント基板７と板金部材２１の間に弾性シート４を配設してもよい。
【００３３】
以上の実施形態によれば、携帯電話機１は、フロントケース２とリアケース１１を有する筐体と、筐体内部に配設された板金部材２１と、板金部材２１の一方の面側に配設された回路基板６と、板金部材２１の他方の面側に配設された液晶ディスプレイ９１と、板金部材２１の一方の面側から他方の面側に跨って配設され、回路基板６及び液晶ディスプレイ９１に接続されたフレキシブルプリント基板７と、フレキシブルプリント基板７に実装され、電子回路７１を有し、振動を生じ得る実装部品と、液晶ディスプレイ９１を板金部材２１に対して支持する弾性シート４とを有する。この弾性シート４があることによって、電子回路７１に生じた振動が液晶ディスプレイ９１を介して板金部材２１に伝わらなくなる。それによって、携帯電話機１が振動して通話に影響が生じるのを抑制することができる。加えて、携帯電話機１が振動することによる携帯電話機１を構成する部品の劣化を抑制することができる。
【００３４】
また、振動する実装部品を特に選んで、その実装部品をフレキシブルプリント基板７上に集中的に配設することができる。これによって、回路基板６には振動する電子部材がなくなるのであるから、回路基板６は振動しなくなるし、振動する実装部品が集中することによって生ずるフレキシブルプリント基板７の振動は、弾性シート４によって他の部分に波及することを防ぐことができる。そうすると、全体として携帯電話機１の振動が減少して、通話に影響が生じるのを抑制することができる。加えて、携帯電話機１が振動することによる携帯電話機１を構成する部品の劣化を抑制することができる
【００３５】
さらに、弾性シート４が液晶ディスプレイ９１の周りに配置されることによって、携帯電話機１の外部からの衝撃が液晶ディスプレイ９１に伝達することを抑制することができる。つまり、液晶ディスプレイ９１はガラス等で形成され衝撃に弱いところ、これに対する衝撃を和らげることによって、液晶ディスプレイ９１が割れる等の破壊を抑制することができる。
【００３６】
加えて、弾性シート４が液晶ディスプレイ９１の周りに配置されることによって、携帯電話機１に対して力が加えられた時に、第２筐体５に生じた変形が液晶ディスプレイ９１にまで及ぶことを抑制することができる。つまり、液晶ディスプレイ９１はガラス等で形成され変形に弱いところ、これに対する力の伝達を防ぐことによって液晶ディスプレイ９１が割れる等の破壊を抑制することができる。
【００３７】
フレキシブルプリント基板７の板金部材２１の一方の面側に位置する部分と、板金部材２１の前記一方側の面との間には間隙１０が形成される。これによって、電子回路７１に生じた振動が板金部材２１の一方側の面へ伝達されることを低減することができる。
【００３８】
液晶ディスプレイ９１は光を生成する発光部を有し、板金部材２１は、筐体に一部が埋設され、筐体からの露出部分には基板支持用孔２５及び樹脂成型時固定孔２４が形成され、弾性シート４は基板支持用孔２５及び樹脂成型時固定孔２４を覆っている。これによって、液晶ディスプレイ９１の光照射部から照射される光が回路基板６の収容される第２筐体５内部にまで入り込むことを防ぐことができる。つまり、第２筐体５内部にまで光が入り込むと、第２筐体５はリアケース１１の内部空間でもあるため、リアケース１１側にもこの光が漏れることとなる。そして、これを防ぐための対策が必要となるが、弾性シート４が光を遮断するのであればこの対策が不要となるので有利となる。
【００３９】
さらに、板金部材２１は、外周部が筐体に埋設され、筐体には、板金部材２１の一方の面側に回路基板６及び実装部品を収容する収容空間が形成され、板金部材２１の他方の面側に液晶ディスプレイ９１が収容される、板金部材２１の筐体から露出部分を底部とする収容凹部が形成され、液晶ディスプレイ９１は板金部材２１とは反対側に画像を表示する表示装置であり、板金部材２１の筐体からの露出部分には樹脂成型時固定孔２４及び基板支持用孔２５が形成されており、弾性シート４は樹脂成型時固定孔２４及び基板支持用孔２５を覆っている。この弾性シート４があることによって、電子回路７１に生じた振動が液晶ディスプレイ９１を介して板金部材２１に伝わりにくくなる。それによって、携帯電話機１が振動して通話に影響が生じるのを抑制することができる。加えて、携帯電話機１が振動することによる携帯電話機１を構成する部品の劣化を抑制することができる。
【００４０】
実装部品は液晶ディスプレイ９１を駆動するための駆動回路を構成する。これによって、振動源となりやすい電子部材（例えば、コンデンサー）を、回路基板６ではなくフレキシブルプリント基板７上に集中させることができる。その上で、弾性シート４を配置して振動を板金部材２１に伝えないようにすることで、より振動を抑えることが可能となる。
【００４１】
弾性シート４は導電性を付与することで、携帯電話機１内部からの電磁波または携帯電話機１外部からの電磁波から液晶ディスプレイ９１をシールドすることができる。なお、板金部材２１が接地されており、その板金部材２１に弾性シート４が接触していれば、弾性シート４も接地されていることになり、ひいては液晶ディスプレイ９１の配置領域周辺のブラインド対策が強化されるほか、液晶ディスプレイ９１自体から生ずるノイズをグランドに逃がすこともできる。
【００４２】
なお、以上の実施形態において、携帯電話機１は本発明の携帯電子機器の一例であり、フロントケース２及びリアケース１１は筐体の一例であり、液晶ディスプレイ９１は電子部品の一例であり、弾性シート４は弾性部材の一例であり、基板支持用孔２５及び樹脂成型時固定孔２４は孔部の一例である。
【００４３】
本発明は、以上の実施形態に限定されず、種々の態様で実施されてよい。
【００４４】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよいし、２以上のケースが折り畳み式以外の方式（スライド式等）により相対移動可能に連結されたものであってもよい。
【００４５】
以上の実施形態では板金部材２１はフレキシブルプリント基板通し孔２３を有し、この孔にフレキシブルプリント基板７を通しているが、板金部材２１の縁部又はフロントケース２の一部を切欠いてフレキシブルプリント基板７を跨がらせてもよい。また、孔又は切欠をフロントケース２体又は板金部材２１に作成せず、そのまま跨らせることもできる。
【００４６】
以上の実施形態では、弾性のある材料から形成されるシート状の弾性シート４を用いているが、必ずしもシート状である必要はなくその他の形状で形成されていてもよい。例えば、円柱・角柱状であって、この円柱・角柱状の弾性部材を複数配置することによって、液晶ディスプレイ９１を保持してもよい。
【００４７】
以上の実施形態ではフロントケース２は板金部材２１と一体成型されているが、必ずしも一体成型する必然性はなく、別部材から構成されていてもよい。その場合には、フロントケース２と板金部材２１はネジ、接着材、両面テープ等の接合部材によって接合される。
【００４８】
以上の実施形態では、液晶ディスプレイ９１を駆動する実装部品のみがフレキシブルプリント基板７に配設されていたが、液晶ディスプレイ９１の制御と無関係な実装部品であってもフレキシブルプリント基板７に配設することは可能である。つまり、回路基板６に使用されていた実装部品で振動が問題となる電子部材をフレキシブルプリント基板７に配設することが可能である。これによって、振動する実装部品をフレキシブルプリント基板７に集中させて、回路基板６は振動を生じないようにした上で、フレキシブルプリント基板７に生じた振動は弾性シート４によって他の部分に伝えないようにすることができる。
【図面の簡単な説明】
【００４９】
【図１】本発明の実施形態の携帯電話機を開状態で示す外観斜視図。
【図２】フロントケース２から装飾用のシートや液晶モジュール９等を取り除いた後の斜視図。
【図３】液晶モジュール９の斜視図。
【図４】液晶モジュール９をフロントケース２に組み込む様子を示した斜視図。
【図５】フロントケース２を外部側からみた斜視図。
【図６】フロントケース２を内部側からみた拡大斜視図。
【図７】図６のＶＩＩ−ＶＩＩにおける斜視断面図
【図８】図６のＶＩＩＩ−ＶＩＩＩ線における断面を簡略化した断面図
【符号の説明】
【００５０】
１…携帯電話機（携帯電子機器）、２…フロントケース、４…弾性シート、６…回路基板、７…フレキシブルプリント基板、９…液晶モジュール、１０…間隙、２１…板金部材、２３…フレキシブルプリント基板通し孔、２４…樹脂成型時固定孔、２５…基板支持用孔、２６…固定部、４１…切欠部、６１…コネクタ部、７１…電子回路、９１…液晶ディスプレイ
【図１】
2010109680.tif 000003
【図２】
2010109680.tif 000004
【図３】
2010109680.tif 000005
【図４】
2010109680.tif 000006
【図５】
2010109680.tif 000007
【図６】
2010109680.tif 000008
【図７】
2010109680.tif 000009
【図８】
2010109680.tif 000010